(57)【要約】【課題】操舵負担を軽減する。【解決手段】実施形態の駐車支援装置は、車輪毎に舵角を与えるか否かの切り替えによる複数種類の操舵手法を有する車両における、車輪の操舵角を取得する取得部と、前記複数種類の操舵手法の各々に基づいた、前記操舵角による前記車両の複数の移動予想軌跡を、前記車両の外部の環境を示した画像情報に重畳して表示する表示部と、を備える。【選択図】図４
2014004930.tif 000002
【特許請求の範囲】
【請求項１】
車輪毎に舵角を与えるか否かの切り替えによる複数種類の操舵手法を有する車両における、前記車輪の操舵角を取得する取得部と、
前記複数種類の操舵手法の各々に基づいた、前記操舵角による前記車両の複数の移動予想軌跡を、前記車両の外部の環境を示した画像情報に重畳して表示する表示部と、
を備える駐車支援装置。
【請求項２】
前記複数種類の操舵手法として、四輪操舵及び二輪操舵を含んでいる、
請求項１に記載の駐車支援装置。
【請求項３】
前記表示部は、前記複数の移動予想軌跡のうち２つ以上を同時に、前記画像情報に重畳して表示する、
請求項１又は２に記載の駐車支援装置。
【請求項４】
前記表示部は、前記複数の移動予想軌跡のうちいずれか１つ以上の移動予想軌跡である一方の移動予想軌跡を前記画像情報に重畳して表示し、当該一方の移動予想軌跡を表示した後、操作受付部が受け付けた操作に基づいて、前記複数の移動予想軌跡のうちいずれか１つ以上の移動予想軌跡であり且つ前記一方の移動予想軌跡と異なる、他方の移動予想軌跡に切り替えて前記画像情報に重畳して表示する、
請求項１乃至３のいずれか１つに記載の駐車支援装置。
【請求項５】
前記表示部は、前記車両に現在設定されている操舵手法に従った移動予想軌跡を重畳して表示する、
請求項１乃至４のいずれか一つに記載の駐車支援装置。
【請求項６】
前記表示部は、前記操作受付部が受け付けた操作に基づいて、前記複数の移動予想軌跡のうちいずれか一つによる移動予想軌跡の表示、又は前記複数の移動予想軌跡のうち２つ以上の同時表示を切り替えて表示する、
請求項４に記載の駐車支援装置。
【請求項７】
前記表示部が、前記移動予想軌跡を重畳表示する前記画像情報として、前記車両の後端部から後方向の外部の環境を撮像した画像情報、又は前記車両を基準に俯瞰視点で外部の環境を表した俯瞰画像情報である、
請求項１に記載の駐車支援装置。
【請求項８】
前記表示部は、前記車輪の前記操舵角で前記車両を後進させる場合の移動予想軌跡を重畳して表示する、
請求項１乃至７のいずれか一つに記載の駐車支援装置。
【請求項９】
前記外部の環境の物体を検出する検出部を、さらに備え、
前記表示部は、前記物体が、前記複数の移動予想軌跡のうちいずれか一つ以上の移動予想軌跡上に存在するか否かを示す情報を表示する、
請求項１乃至７のいずれか一つに記載の駐車支援装置。
【請求項１０】
前記表示部は、前記複数の移動予想軌跡のうちいずれか１つ以上の移動予想軌跡上に前記物体が存在する場合に、前記物体が存在しない前記移動予想軌跡に対応する操舵手法を用いる旨を表示する、
請求項１乃至９のいずれか一つに記載の駐車支援装置。
【請求項１１】
駐車支援装置で実行される駐車支援方法であって、
取得部が、車輪毎に舵角を与えるか否かの切り替えによる複数種類の操舵手法を有する車両における、前記車輪の操舵角を取得する取得ステップと、
表示部が、前記複数種類の操舵手法の各々に基づいた、前記操舵角による前記車両の複数の移動予想軌跡を、前記車両の外部の環境を示した画像情報に重畳して表示する表示ステップと、
を含む駐車支援方法。
【請求項１２】
車輪毎に舵角を与えるか否かの切り替えによる複数種類の操舵手法を有する車両における、前記車輪の操舵角を取得する取得ステップと、
前記複数種類の操舵手法の各々に基づいた、前記操舵角による前記車両の複数の移動予想軌跡を、前記車両の外部の環境を示した画像情報に重畳して表示する表示ステップと、
をコンピュータに実行させるための駐車支援プログラム。
【発明の詳細な説明】
【技術分野】
【０００１】
本発明の実施形態は、駐車支援装置、駐車支援方法、及び駐車支援プログラムに関する。
【背景技術】
【０００２】
車両の駐車を支援する技術として、車両に設置された複数のカメラで、車両の周辺環境として撮像された画像データを運転者に提供する技術が提案されている。その際に、車両の操舵角で将来移動した場合の移動予想軌跡等を表示することで、駐車等を支援する技術が提案されている。
【０００３】
ところで、従来から、車両の操舵手法として、二輪操舵（２  Wheel  Steering）や四輪操舵（４  Wheel  Steering）などが提案されている。四輪操舵が可能な車両では、二輪操舵と四輪操舵とが切り替え可能であることが多い。四輪操舵は、高速走行の際に安定することに加えて、低速走行時は二輪操舵と比べて小回り性能が向上する。このため、駐車を行う際に、四輪操舵で行えば、より容易に駐車が可能になると考えられる。
【先行技術文献】
【特許文献】
【０００４】
【特許文献１】特開２００２−１０９６９７号公報
【特許文献２】特開２００６−２４８２４７号公報
【発明の概要】
【発明が解決しようとする課題】
【０００５】
しかしながら、四輪操舵と二輪操舵との間の小回り性能が異なることから生じる違和感のため、駐車する際は二輪操舵で行うのが通常である。このため、四輪操舵を支援する技術としては、タイヤの向きの表示等に留まっている。
【課題を解決するための手段】
【０００６】
実施形態の駐車支援装置は、車輪毎に舵角を与えるか否かの切り替えによる複数種類の操舵手法を有する車両における、前記車輪の操舵角を取得する取得部と、前記複数種類の操舵手法の各々に基づいた、前記操舵角による前記車両の複数の移動予想軌跡を、前記車両の外部の環境を示した画像情報に重畳して表示する表示部と、を備える。当該構成により一例として、複数種類の操舵手法の各々に基づく複数の移動予想軌跡を表示することで、どの操舵手法を用いればよいのかをユーザが確認できるので、操舵の負担を軽減できるという効果を奏する。
【０００７】
ここで、実施形態にかかる駐車支援装置において、前記複数種類の操舵手法として、四輪操舵及び二輪操舵を含んでいると好適である。当該構成により一例として、四輪操舵及び二輪操舵のうちどちらの操舵手法を用いれば良いのか確認できるので、操舵の負担を軽減できるという効果を奏する。
【０００８】
また、実施形態にかかる駐車支援装置において、前記表示部は、前記複数の移動予想軌跡のうち２つ以上を同時に、前記画像情報に重畳して表示すると好適である。当該構成により一例として、複数の操舵手法のそれぞれの移動予想軌跡を同時に確認できるので、どちらの操舵手法が適切か判断するのが容易となり、操舵の負担を軽減できるという効果を奏する。
【０００９】
また、実施形態にかかる駐車支援装置において、前記表示部は、前記複数の移動予想軌跡のうちいずれか１つ以上の移動予想軌跡である一方の移動予想軌跡を前記画像情報に重畳して表示し、当該一方の移動予想軌跡を表示した後、操作受付部が受け付けた操作に基づいて、前記複数の移動予想軌跡のうちいずれか１つ以上の移動予想軌跡であり且つ前記一方の移動予想軌跡と異なる、他方の移動予想軌跡に切り替えて前記画像情報に重畳して表示すると好適である。当該構成により一例として、表示される複数種類の操舵手法の移動予想軌跡を切り替えることで、どの操舵手法を用いればよいのかをユーザが確認できるので、操舵の負担を軽減できるという効果を奏する。
【００１０】
また、実施形態にかかる駐車支援装置において、前記表示部は、前記車両に現在設定されている操舵手法に従った移動予想軌跡を重畳して表示すると好適である。当該構成により一例として、車両に現在設定されている操舵手法の場合の移動予想軌跡が確認できるため、操舵の負担を軽減できるという効果を奏する。
【００１１】
また、実施形態にかかる駐車支援装置において、前記表示部は、前記操作受付部が受け付けた操作に基づいて、前記複数の移動予想軌跡のうちいずれか一つによる移動予想軌跡の表示、又は前記複数の移動予想軌跡のうち２つ以上の同時表示を切り替えて表示すると好適である。当該構成により一例として、ユーザの所望する態様で移動予想軌跡の表示ができるため、移動予想軌跡の確認が容易となり、操舵の負担を軽減できるという効果を奏する。
【００１２】
また、実施形態にかかる駐車支援装置において、前記表示部が、前記移動予想軌跡を重畳表示する前記画像情報として、前記車両の後端部から後方向の外部の環境を撮像した画像情報、又は前記車両を基準に俯瞰視点で外部の環境を表した俯瞰画像情報であると好適である。当該構成により一例として、外部の環境を撮像した画像情報、又は車両を基準に俯瞰視点で外部の環境を表した俯瞰画像情報に表示された移動予想軌跡で確認できるため、操舵の負担を軽減できるという効果を奏する。
【００１３】
また、実施形態にかかる駐車支援装置において、前記表示部は、前記車輪の前記操舵角で前記車両を後進させる場合の移動予想軌跡を重畳して表示すると好適である。当該構成により一例として、車両を後進させる場合の移動予想軌跡が確認できるため、操舵の負担を軽減できるという効果を奏する。
【００１４】
また、実施形態にかかる駐車支援装置において、前記外部の環境の物体を検出する検出部を、さらに備え、前記表示部は、前記物体が、前記複数の移動予想軌跡のうちいずれか一つ以上の移動予想軌跡上に存在するか否かを示す情報を表示すると好適である。当該構成により一例として、移動予想軌跡に従って移動すると物体に接触する可能性があるか否かを確認できるため、操舵の負担を軽減できるという効果を奏する。
【００１５】
また、実施形態にかかる駐車支援装置において、前記表示部は、前記複数の移動予想軌跡のうちいずれか１つ以上の移動予想軌跡上に前記物体が存在する場合に、前記物体が存在しない前記移動予想軌跡に対応する操舵手法を用いる旨を表示すると好適である。当該構成により一例として、複数種類の操舵手法のうちどちらの操舵手法が好適であるかを確認できるため、操舵の負担を軽減できるという効果を奏する。
【００１６】
また、実施形態にかかる駐車支援方法は、駐車支援装置で実行される駐車支援方法であって、取得部が、車輪毎に舵角を与えるか否かの切り替えによる複数種類の操舵手法を有する車両における、前記車輪の操舵角を取得する取得ステップと、表示部が、前記複数種類の操舵手法の各々に基づいた、前記操舵角による前記車両の複数の移動予想軌跡を、前記車両の外部の環境を示した画像情報に重畳して表示する表示ステップと、を含む。当該処理手順により一例として、表示される複数種類の操舵手法の移動予想軌跡を切り替えることで、どの操舵手法を用いればよいのかをユーザが確認できるので、操舵の負担を軽減できるという効果を奏する。
【００１７】
また、実施形態にかかる駐車支援プログラムは、車輪毎に舵角を与えるか否かの切り替えによる複数種類の操舵手法を有する車両における、前記車輪の操舵角を取得する取得ステップと、前記複数種類の操舵手法の各々に基づいた、前記操舵角による前記車両の複数の移動予想軌跡を、前記車両の外部の環境を示した画像情報に重畳して表示する表示ステップと、をコンピュータに実行させる。当該構成により一例として、表示される複数種類の操舵手法の移動予想軌跡を切り替えることで、どの操舵手法を用いればよいのかをユーザが確認できるので、操舵の負担を軽減できるという効果を奏する。
【図面の簡単な説明】
【００１８】
【図１】図１は、第１の実施形態にかかる車両の構成を示す斜視図である。
【図２】図２は、第１の実施形態にかかる車両の俯瞰した平面図である。
【図３】図３は、第１の実施形態にかかる車両の駐車支援システムの構成の例を示したブロック図である。
【図４】図４は、第１の実施形態にかかる車両の駐車支援ＥＣＵで実現される構成を示したブロック図である。
【図５】図５は、第１の実施形態にかかる車両を後進させて駐車場に駐車する際の移動予想軌跡を示した図である。
【図６】図６は、第１の実施形態にかかる車両の２ＷＳモード及び４ＷＳモードの旋回性能を示した図である。
【図７】図７は、第１の実施形態にかかる駐車支援部における、移動予想軌跡の表示処理の手順を示すフローチャートである。
【図８】図８は、第１の実施形態にかかる駐車支援部における、予想軌跡ボタンの押下に応じて切り替わる表示画面の遷移の例を示した図である。
【図９】図９は、第１の実施形態にかかる駐車支援部における、予想軌跡ボタンの押下に応じて切り替わる表示画面の遷移の例を示した図である。
【発明を実施するための形態】
【００１９】
（第１の実施形態）
本実施形態では、車両１は、例えば、内燃機関（エンジン、図示されず）を駆動源とする自動車（内燃機関自動車）であってもよいし、電動機（モータ、図示されず）を駆動源とする自動車（電気自動車、燃料電池自動車等）であってもよいし、それらの双方を駆動源とする自動車（ハイブリッド自動車）であってもよい。また、車両１は、種々の変速装置を搭載することができるし、内燃機関や電動機を駆動するのに必要な種々の装置（システム、部品等）を搭載することができる。また、車両１における車輪３の駆動に関わる装置の方式や、数、レイアウト等は、種々に設定することができる。
【００２０】
図１に示されるように、車体２は、乗員（図示されず）が乗車する車室２ａを構成している。車室２ａ内には、乗員としての運転者の座席２ｂに臨む状態で、操舵部４や、加速操作部５、制動操作部６、変速操作部７等が設けられている。本実施形態では、一例として、操舵部４は、ダッシュボード（インストルメントパネル）から突出したステアリングホイールであり、加速操作部５は、運転者の足下に位置されたアクセルペダルであり、制動操作部６は、運転者の足下に位置されたブレーキペダルであり、変速操作部７は、センターコンソールから突出したシフトレバーであるが、これらには限定されない。
【００２１】
また、車室２ａ内には、表示装置８（表示出力部）や、音声出力装置９（音声出力部）が設けられている。表示装置８は、例えば、ＬＣＤ（liquid  crystal  display）や、ＯＥＬＤ（organic  electroluminescent  display）等である。音声出力装置９は、一例として、スピーカである。また、本実施形態では、一例として、表示装置８は、透明な操作入力部１０（例えば、タッチパネル等）で覆われている。乗員等は、操作入力部１０を介して表示装置８の表示画面に表示される映像（画像）を視認することができる。また、乗員等は、表示装置８の表示画面に表示される映像（画像）に対応した位置で手指等で操作入力部１０を触れたり押したり動かしたりして操作することで、操作入力（指示入力）を実行することができる。また、本実施形態では、一例として、表示装置８や、音声出力装置９、操作入力部１０等は、ダッシュボードの車幅方向（左右方向）の中央部に位置されたモニタ装置１１に設けられている。モニタ装置１１は、スイッチや、ダイヤル、ジョイスティック、押しボタン等の操作入力部（図示されず）を有することができる。また、モニタ装置１１とは異なる車室２ａ内の他の位置に音声出力装置（図示されず）を設けることができるし、モニタ装置１１の音声出力装置９と他の音声出力装置から、音声を出力することができる。また、本実施形態では、一例として、モニタ装置１１は、ナビゲーションシステムやオーディオシステムと兼用されているが、駐車支援装置用のモニタ装置を、これらシステムとは別に設けてもよい。また、音声出力装置９の他に、ブザー２４（図３参照）等の音声出力部から、警報音等が出力されるように構成することができる。
【００２２】
また、図１，２に示されるように、本実施形態では、一例として、車両１は、四輪車（四輪自動車）であり、左右二つの前輪３Ｆと、左右二つの後輪３Ｒとを有する。さらに、本実施形態では、これら四つの車輪３は、いずれも操舵されうるように（転舵可能に）構成されている。具体的には、図３に示されるように、車両１は、前輪３Ｆを操舵する前輪操舵システム１２と、後輪３Ｒを操舵する後輪操舵システム１３とを有している。これら前輪操舵システム１２および後輪操舵システム１３は、駐車支援ＥＣＵ１４（electronic  control  unit）等によって電気的に制御されて、それぞれのアクチュエータ１２ａ，１３ａを動作させる。前輪操舵システム１２ならびに後輪操舵システム１３は、例えば、電動パワーステアリングシステムや、ＳＢＷ（steer  by  wire）システム等である。前輪操舵システム１２ならびに後輪操舵システム１３は、アクチュエータ１２ａ，１３ａによって操舵部４にトルク（アシストトルク）を付加して操舵力を補ったり、対応する車輪３（前輪３Ｆまたは後輪３Ｒ）を操舵（自動操舵）したりする。アクチュエータ１２ａ，１３ａは、一つの車輪３を操舵してもよいし、複数の車輪３を操舵してもよい。また、本実施形態では、一例として、二つの前輪３Ｆは、互いに同相で略平行に転舵され、二つの後輪３Ｒは、互いに同相で略平行に転舵される。なお、駆動輪は種々に設定可能である。
【００２３】
また、本実施形態では、一例として、前輪３Ｆのみが操舵される二輪操舵モード（第一の操舵モード）と、前輪３Ｆおよび後輪３Ｒが操舵される四輪操舵モード（第二の操舵モード）とが設定されている。操舵モードは、乗員による操作入力部１０の操作や、車室２ａ内に設けられた操舵モード切替操作部１５（例えば、スイッチ等、図３参照）の操作等によって、切り替えられる。また、本実施形態では、一例として、駐車支援に関しては、四輪操舵モードでは、前輪３Ｆおよび後輪３Ｒは、逆相で転舵される。なお、前輪３Ｆは、操舵部４の操作により、機械的に転舵されることができる。
【００２４】
また、本実施形態では、一例として、図２に示されるように、車両１（車体２）には、複数（本実施形態では、一例として四つ）の撮像部１６（１６ａ〜１６ｄ）が設けられている。撮像部１６は、例えば、ＣＣＤ（charge  coupled  device）やＣＩＳ（CMOS  image  sensor）等の撮像素子を内蔵するデジタルカメラである。撮像部１６は、所定のフレームレートで画像データ（動画データ、フレームデータ）を出力することができる。撮像部１６は、それぞれ、広角レンズを有し、水平方向には１４０°〜１９０°の範囲（視野角）を撮影することができる。また、撮像部１６の光軸は下方（斜め下方）に向けて設定されている。よって、撮像部１６は、路面を含む車体２の周辺を撮影することができる。本実施形態では、一例として、撮像部１６ａは、車体２の前側（車両前後方向の前方側）の端部２ｃ（平面視での端部）に位置され、フロントバンパー等に設けられている。撮像部１６ｂは、車体２の左側（車幅方向の左側）の端部２ｄに位置され、左側のドアミラー２ｇ（突出部）に設けられている。撮像部１６ｃは、車体２の後側（車両前後方向の後方側）の端部２ｅに位置され、リヤトランクのドア２ｈの下方の壁部に設けられている。撮像部１６ｄは、車体２の右側（車幅方向の右側）の端部２ｆに位置され、右側のドアミラー２ｇ（突出部）に設けられている。駐車支援ＥＣＵ１４は、複数の撮像部１６で得られた画像データに基づいて演算処理や画像処理を実行し、より広い視野角の画像を生成したり、車両１（車体２）を上方から見た仮想的な俯瞰画像（平面画像）を生成したりすることができる。また、駐車支援ＥＣＵ１４は、撮像部１６の画像から、車両１の周辺に位置され移動する車両１と干渉する可能性がある物体（障害物）を検出（抽出）することができる。よって、撮像部１６は、物体検出部の一例である。
【００２５】
また、本実施形態では、一例として、図１，２に示されるように、車両１（車体２）には、複数（本実施形態では、一例として四つ）の測距部１７（１７ａ〜１７ｄ、探知部）が設けられている。測距部１７は、例えば、超音波を発射してその反射波を捉えるソナー（ソナーセンサ、超音波探知器）である。駐車支援ＥＣＵ１４は、測距部１７の検出結果により、車両１（車体２）の後方に位置された物体（障害物）の有無や距離を測定することができる。すなわち、測距部１７は、物体検出部の一例である。
【００２６】
また、本実施形態では、一例として、図３に示されるように、駐車支援システム１００では、駐車支援ＥＣＵ１４や、モニタ装置１１、前輪操舵システム１２、後輪操舵システム１３、操舵モード切替操作部１５、測距部１７等の他、ブレーキシステム１８、舵角センサ１９（角度センサ）、アクセルセンサ２０、シフトセンサ２１、車輪速センサ２２等が、車内ネットワーク２３（電気通信回線）を介して電気的に接続されている。車内ネットワーク２３は、一例としては、ＣＡＮ（controller  area  network）として構成されている。駐車支援ＥＣＵ１４は、車内ネットワーク２３を通じて制御信号を送ることで、前輪操舵システム１２や、後輪操舵システム１３、ブレーキシステム１８等を制御することができる。また、駐車支援ＥＣＵ１４は、車内ネットワーク２３を介して、トルクセンサ１２ｂ、舵角センサ１３ｂ（後輪３Ｒ用）、測距部１７、ブレーキセンサ１８ｂ、舵角センサ１９（前輪３Ｆ用）、アクセルセンサ２０、シフトセンサ２１、車輪速センサ２２等の検出結果、ならびに、操作入力部１０や、操舵モード切替操作部１５等の指示信号（制御信号、切替信号、操作信号、入力信号、データ）を受け取ることができる。
【００２７】
駐車支援ＥＣＵ１４は、一例として、ＣＰＵ１４ａ（central  processing  unit）や、ＲＯＭ１４ｂ（read  only  memory）、ＲＡＭ１４ｃ（random  access  memory）、表示制御部１４ｄ、音声制御部１４ｅ、ＳＳＤ１４ｆ（solid  state  drive、フラッシュメモリ）等を有している。ＣＰＵ１４ａは、例えば、表示装置８で表示される画像に関連した画像処理や、車両１の移動予想軌跡の演算、物体との干渉の有無の判断等の各種の演算処理を実行することができる。ＣＰＵ１４ａは、ＲＯＭ１４ｂ等の不揮発性の記憶装置に記憶された（インストールされた）プログラムを読み出し、当該プログラムにしたがって演算処理を実行することができる。ＲＡＭ１４ｃは、ＣＰＵ１４ａでの演算で用いられる各種のデータを一時的に記憶する。また、表示制御部１４ｄは、駐車支援ＥＣＵ１４での演算処理のうち、主として、撮像部１６で得られた画像データを用いた画像処理や、表示装置８で表示される画像データの画像処理（一例としては合成等）等を実行する。また、音声制御部１４ｅは、駐車支援ＥＣＵ１４での演算処理のうち、主として、音声出力装置９で出力される音声データの処理を実行する。また、ＳＳＤ１４ｆは、書き換え可能な不揮発性の記憶部であって、駐車支援ＥＣＵ１４の電源がオフされた場合にあってもデータを記憶することができる。なお、ＣＰＵ１４ａや、ＲＯＭ１４ｂ、ＲＡＭ１４ｃ等は、同一パッケージ内に集積されることができる。また、駐車支援ＥＣＵ１４は、ＣＰＵ１４ａに替えて、ＤＳＰ（digital  signal  processor）等の他の論理演算プロセッサや論理回路等が用いられる構成であってもよい。また、ＳＳＤ１４ｆに替えてＨＤＤ（hard  disk  drive）が設けられてもよいし、ＳＳＤ１４ｆやＨＤＤは、駐車支援ＥＣＵ１４とは別に設けられてもよい。
【００２８】
ブレーキシステム１８は、ブレーキのロックを抑制するＡＢＳ（anti-lock  brake  system）や、コーナリング時の車両１の横滑りを抑制する横滑り防止装置（ＥＳＣ：electronic  stability  control）、ブレーキ力を増強させる（ブレーキアシストを実行する）電動ブレーキシステム、ＢＢＷ（brake  by  wire）等である。ブレーキシステム１８は、アクチュエータ１８ａを介して、車輪３（車両１）に制動力を与える。
【００２９】
舵角センサ１９は、操舵部４（本実施形態では、一例としてステアリングホイール）の操舵量（回動角度）を検出するセンサであり、一例としては、ホール素子などを用いて構成される。また、舵角センサ１３ｂは、後輪３Ｒの操舵量（回動角度）を検出するセンサであり、一例としては、ホール素子などを用いて構成される。駐車支援ＥＣＵ１４は、運転者による操舵部４の操舵量や、自動操舵時の各車輪３の操舵量等を、舵角センサ１９，１３ｂから取得して各種制御を実行する。なお、トルクセンサ１２ｂは、運転者が操舵部４に与えるトルクを検出する。
【００３０】
車輪速センサ２２は、車輪３の回転量や単位時間当たりの回転数を検出するセンサであり、一例としては、ホール素子などを用いて構成される。駐車支援ＥＣＵ１４は、車輪速センサ２２から取得したデータに基づいて車両１の移動量などを演算し、各種制御を実行する。車輪速センサ２２は、ブレーキシステム１８に設けられている場合もある。また、ブレーキシステム１８は、左右の車輪３の回転差などからブレーキのロックや、車輪３の空回り、横滑りの兆候等を検出して、各種制御を実行することができる。車輪速センサ２２がブレーキシステム１８に設けられている場合には、駐車支援ＥＣＵ１４は、ブレーキシステム１８を介してデータを取得する。ブレーキセンサ１８ｂは、ブレーキペダルの操作量を検出するセンサであり、駐車支援ＥＣＵ１４は、ブレーキシステム１８を介して情報を取得する。駐車支援ＥＣＵ１４は、例えば、自動操舵中に制動操作部６が操作されたような場合に、自動操舵には適さない状況にあるとして自動操舵を中断したり中止したりすることができる。
【００３１】
シフトセンサ２１は、一例としては、変速操作部７の可動部（レバーや、アーム、ボタン）の位置を検出するセンサ（スイッチ）であり、変位センサなどを用いて構成される。例えば、駐車支援ＥＣＵ１４は、可動部がリバースにセットされた場合に支援制御を開始したり、リバースから前進に変更された場合に支援制御を終了させたりすることができる。
【００３２】
なお、上述した各種センサやアクチュエータの構成や、配置、電気的な接続形態等は、あくまで一例であって、種々に設定（変更）することができる。
【００３３】
図４は、駐車支援ＥＣＵ１４内に実現される駐車支援部４００の構成を示すブロック図である。図４に示す駐車支援部４００内の各構成は、図３の駐車支援ＥＣＵ１４として構成されたＣＰＵ１４ａが、ＲＯＭ１４ｂ内に格納されたソフトウェアを実行することで実現される。また、ＲＯＭ１４ｂは、４ＷＳ移動軌跡管理テーブル４０２と、２ＷＳ移動軌跡管理テーブル４０３と、を記憶している。
【００３４】
駐車支援部４００は、ＲＯＭ１４ｂ内に格納されたソフトウェアを実行することで、操作受付部４０１と、操舵角取得部４０４と、軌跡取得部４０５と、障害物検出部４０６と、接触予想判定部４０７と、報知イメージ生成部４０８と、軌跡表示切替部４０９と、俯瞰画像生成部４１０と、通常画像生成部４１１と、画像合成部４１２と、表示制御部４１３と、を実現する。そして、本実施形態にかかる駐車支援部４００は、車両１が後進して駐車を行う際に、車両１が将来移動した場合の移動予想軌跡を表示することで、運転者の操舵による駐車を支援する。本実施形態にかかる移動予想軌跡は、２種類の操舵手法（４ＷＳ及び２ＷＳ）の各々に基づき、操舵角取得部４０４が取得した操舵角で車両１が将来移動した場合に描かれる移動軌跡を表したものとする。
【００３５】
図５は、車両１を後進させて駐車場５０１に駐車する際の移動予想軌跡を示した図である。図５に示す例では、車両１を後進させて駐車場５０１に駐車する際、２ＷＳ（二輪操舵）の移動予想軌跡５０２では、障害物５０４に接触する可能性がある。一方、４ＷＳ（四輪操舵）は２ＷＳと比べて低速走行時の小回り性能が高い。このため、４ＷＳの移動予想軌跡５０３では、障害物５０４に接触することはない。
【００３６】
そこで、本実施形態にかかる駐車支援部４００は、運転者の要求に応じて、２ＷＳ及び４ＷＳのいずれか１つ以上の移動予想軌跡を表示することとした。これにより、４ＷＳモード又は２ＷＳモードのどちらを用いた場合に、障害物５０４に接触することなく、適切に駐車場５０１に駐車できるか否かを、運転者に対して提示することができる。なお、本実施形態では、並列駐車を例に説明するが、並列駐車を行う場合に制限するものではなく、旋回後進を含む操舵であればよい。例えば、縦列駐車や、斜め枠駐車等であってもよい。
【００３７】
図６は、車両１の２ＷＳモード及び４ＷＳモードの旋回性能を示した図である。図６に示す例では、車両１の２ＷＳモードにおける移動軌跡、及び４ＷＳモードにおける移動軌跡を示している。
【００３８】
車両１が２ＷＳモードの場合、後輪３Ｒの操舵角が０度となる。そして、２ＷＳモード時の最内点６０４の移動軌跡６０１は、前輪３Ｆの操舵角により、旋回中心点６０３を中心とした弧を描く。一方、２ＷＳモード時の最外点の移動軌跡６０２は、旋回中心点６０３を中心とした弧を描く。
【００３９】
一方、車両１が４ＷＳモードの場合、操舵部４の操舵量に応じて後輪３Ｒの操舵角が変化する。これにより、４ＷＳモードの場合、平面視で前輪３Ｆと後輪３Ｒとの間（ホイール間）の部位６１１が最内点となる。すなわち、部位６１１が、車両１のうち最も旋回中心６１２に近い部位となる。平面視とは、車両１の上方から俯瞰して視た視線である。また、４ＷＳモードの場合、旋回中心６１２も、２ＷＳモードの旋回中心６０３と比べて、より車両１側に近づく。これにより、４ＷＳモードの最内点６１１の移動軌跡６１３は、旋回中心６１２を中心とした弧を描くことで、２ＷＳモードの最内点６０４の移動軌跡６０１よりも小回りすることになる。これにより、２ＷＳモードの時には接触しなかった障害物６５１と接触する可能性が生じる。また、最外点の移動軌跡６１４も、旋回中心６１２を中心とした弧を描く。
【００４０】
２ＷＳモードの最内点６０４の移動軌跡６０１と、４ＷＳモードの最内点６１１の移動軌跡６１３と、では、差分距離６５２が生じる。このような差分距離６５２により、運転者が想定している移動軌跡と、実際の移動軌跡と、の間にずれが生じることになり、運転者が適切な操舵ができなくなる可能性がある。そこで、本実施形態では、運転者に対して移動予想軌跡を提示することで、適切な操舵を実現する。
【００４１】
図４に戻り、操作受付部４０１は、操作入力部１０や、操舵モード切替操作部１５等の指示信号（制御信号、切替信号）を受け付ける。操作受付部４０１は、これら指示信号から、運転者からの操作を受け付けることができる。例えば、操作受付部４０１は、操舵モードの切り替えを示した指示信号や、移動予想軌跡の表示の切り替えを示した指示信号等を受け付ける。
【００４２】
４ＷＳ移動軌跡管理テーブル４０２は、車両１が４ＷＳモードで移動した場合の移動予想軌跡を管理するテーブルである。４ＷＳ移動軌跡管理テーブル４０２は、４ＷＳモードによる操舵角に対応する移動予想軌跡を記憶している。本実施形態にかかる４ＷＳ移動軌跡管理テーブル４０２が記憶している移動予想軌跡は、車両１の周囲を上方から俯瞰した場合の俯瞰画像データに重畳するための移動予想軌跡、及び撮像部１６で撮像された通常画像データに重畳するための移動予想軌跡とする。
【００４３】
２ＷＳ移動軌跡管理テーブル４０３は、車両１が２ＷＳモードで移動した場合の移動予想軌跡を管理するテーブルである。２ＷＳ移動軌跡管理テーブル４０３は、２ＷＳモードによる操舵角に対応する移動予想軌跡を記憶している。本実施形態にかかる２ＷＳ移動軌跡管理テーブル４０３が記憶している移動予想軌跡は、俯瞰画像データに重畳するための移動予想軌跡、及び通常画像データに重畳するための移動予想軌跡とする。
【００４４】
操舵角取得部４０４は、舵角センサ１９から前輪３Ｆの舵角と、舵角センサ１３ｂから後輪３Ｒの舵角と、を取得する。
【００４５】
軌跡表示切替部４０９は、操舵モード切替操作部１５で行われた操舵モードの切り替え、及び運転者からの移動予想軌跡の表示の切り替え操作に基づいて、表示制御部４１３により表示される移動予想軌跡を切り替える制御を行う。本実施形態にかかる軌跡表示切替部４０９は、軌跡取得部４０５に対して、取得する移動予想軌跡を切り替える制御を行う。これにより、表示制御部４１３により表示される移動予想軌跡が切り替わる。
【００４６】
軌跡取得部４０５は、軌跡表示切替部４０９により切り替えられた移動予想軌跡を、４ＷＳ移動軌跡管理テーブル４０２及び２ＷＳ移動軌跡管理テーブル４０３のうちいずれか１つ以上から取得する。本実施形態にかかる軌跡取得部４０５は、操舵角取得部４０４が取得した操舵角に対応する移動予想軌跡を、４ＷＳ移動軌跡管理テーブル４０２及び２ＷＳ移動軌跡管理テーブル４０３のうちいずれか１つ以上から取得する。
【００４７】
障害物検出部４０６は、測距部１７（１７ａ〜１７ｄ）の検出結果に基づいて、車両１周辺に存在する物体を検出する。なお、物体の検出手法は、従来用いられている手法等を用いてもよいため、説明を省略する。
【００４８】
接触予想判定部４０７は、障害物検出部４０６により検出された物体と、軌跡取得部４０５が取得した移動予想軌跡と、に基づいて、車両１が移動予想軌跡に従って移動した場合に、物体と接触する可能性があるか否かを判定する。
【００４９】
報知イメージ生成部４０８は、駐車案内に関するメッセージを示した画像データを生成する。
【００５０】
俯瞰画像生成部４１０は、撮像部１６により撮像された車両１の外部の環境を表した画像データと、（図示しない）マッピングテーブルに記録されている変換情報と、に基づいて、車両１の周囲外部の環境を上方から俯瞰した場合の俯瞰画像データを生成し、画像合成部４１２に出力する。
【００５１】
通常画像生成部４１１は、撮像部１６により撮像された画像データに対して車両１の外部の環境を表すための調整を行い、通常画像データを生成した後、通常画像データを画像合成部４１２に出力する。
【００５２】
画像合成部４１２は、移動予想軌跡重畳部４２１と、タイヤ操舵角合成部４２２と、を備え、俯瞰画像生成部４１０により入力された俯瞰画像データ、又は通常画像生成部４１１により生成された通常画像データに対して、表示装置８に表示するための様々な情報（例えば、駐車案内に関するメッセージ）を合成した後、合成された画像データを表示制御部４１３に出力する。
【００５３】
移動予想軌跡重畳部４２１は、俯瞰画像生成部４１０により入力された俯瞰画像データ、又は通常画像生成部４１１により生成された通常画像データに対して、軌跡取得部４０５が取得した移動予想軌跡を重畳する。
【００５４】
タイヤ操舵角合成部４２２は、表示装置８に表示するための画像データに対して、車両１のタイヤの操舵角を表した画像データを合成する。
【００５５】
表示制御部４１３は、画像合成部４１２により合成された画像データを、表示装置８に表示する。このように、本実施形態にかかる表示制御部４１３は、２種類の操舵手法の各々に基づいた、操舵角による車両１の複数の移動予想軌跡を、車両１の外部の環境を示した俯瞰画像データ又は通常画像データに重畳して表示する。なお、本実施形態では、２種類の操舵手法として、４ＷＳ（４  Wheel  Steering）及び２ＷＳ（２  Wheel  Steering）を含んでいる場合とするが、その他の操舵手法であっても良い。また、本実施形態は操舵手法を２種類に制限するものではなく、３種類以上であっても良い。
【００５６】
また、表示制御部４１３は、最初の移動予想軌跡を表示する際に、車両１に現在設定されている操舵手法（２ＷＳ又は４ＷＳ）に従った移動予想軌跡を、俯瞰画像データ又は通常画像データに重畳して表示する。または、最初に２ＷＳの移動予想軌跡、及び４ＷＳの移動予想軌跡の両方を、俯瞰画像データ又は通常画像データに重畳して表示しても良い。
【００５７】
移動予想軌跡を表示した後、操作受付部４０１が運転者から移動予想軌跡の表示を切り替える操作を受け付けた場合、当該操作に基づいて、現在表示している移動予想軌跡とは異なる、２種類の移動予想軌跡のうちいずれか一つ以上の移動予想軌跡に切り替えて、俯瞰画像データ又は通常画像データに重畳して表示する。移動予想軌跡を切り替えた際に、表示制御部４１３は、２種類の移動予想軌跡を重畳表示できる。これにより、運転者は、２種類の操舵手法のうち、どちらの操舵手法が操舵に適切か判断することができる。これにより、運転者の操舵負担を軽減できる。
【００５８】
次に、本実施形態にかかる駐車支援部４００における、移動予想軌跡の表示処理について説明する。図７は、本実施形態にかかる駐車支援部４００における上述した処理の手順を示すフローチャートである。
【００５９】
まず、操舵角取得部４０４が、舵角センサ１９から前輪３Ｆの舵角と、舵角センサ１３ｂから後輪３Ｒの舵角と、を取得する（ステップＳ７０１）。次に、軌跡表示切替部４０９は、操舵モード切替操作部１５で行われた操舵モードが、４ＷＳモード又は２ＷＳモードであるかを判定する（ステップＳ７０２）。軌跡表示切替部４０９は、２ＷＳモードであると判定した場合（ステップＳ７０２：Ｙｅｓ）、２ＷＳモードの移動予想軌跡を取得するように軌跡取得部４０５に通知する。
【００６０】
その後、軌跡取得部４０５が、現在の舵角に応じた２ＷＳモードの移動予想軌跡を、２ＷＳ移動軌跡管理テーブル４０３から取得し、画像合成部４１２の移動予想軌跡重畳部４２１が、２ＷＳモードの移動予想軌跡を、画像データに合成（重畳）する（ステップＳ７０３）。なお、重畳対象となる画像データは、俯瞰画像生成部４１０が生成した俯瞰画像データ、又は通常画像生成部４１１が生成した通常画像データとする。合成の際に、駐車案内に関するメッセージを示した画像データや、タイヤの操舵角を示した画像データも合成する。
【００６１】
そして、表示制御部４１３は、２ＷＳモードの移動予想軌跡が表された画像データを表示する（ステップＳ７０４）。
【００６２】
その後、操作受付部４０１が、予想軌跡ボタンの押下を受け付けたか否かを判定する（ステップＳ７０５）。押下を受け付けていない場合（ステップＳ７０５：Ｎｏ）、ステップＳ７０４による表示を継続して行う。
【００６３】
一方、ステップＳ７０２において、操舵モード切替操作部１５で行われた操舵モードが、４ＷＳモードであると判定した場合（ステップＳ７０２：Ｎｏ）、または操作受付部４０１が予想軌跡ボタンの押下を受け付けた場合（ステップＳ７０５：Ｙｅｓ）、４ＷＳモードの移動予想軌跡を取得するように軌跡取得部４０５に通知する。
【００６４】
その後、軌跡取得部４０５が、現在の舵角に応じた４ＷＳモードの移動予想軌跡を、４ＷＳ移動軌跡管理テーブル４０２から取得し、画像合成部４１２の移動予想軌跡重畳部４２１が、４ＷＳモードの移動予想軌跡を、俯瞰画像データ又は通常画像データに合成（重畳）する（ステップＳ７０６）。
【００６５】
そして、表示制御部４１３は、４ＷＳモードの移動予想軌跡が表された画像データを表示する（ステップＳ７０７）。
【００６６】
その後、操作受付部４０１が、予想軌跡ボタンの押下を受け付けたか否かを判定する（ステップＳ７０８）。押下を受け付けていない場合（ステップＳ７０８：Ｎｏ）、ステップＳ７０７による表示を継続して行う。
【００６７】
一方、操作受付部４０１が予想軌跡ボタンの押下を受け付けた場合（ステップＳ７０８：Ｙｅｓ）、２ＷＳモードの移動予想軌跡、及び４ＷＳモードの移動予想軌跡を取得するように軌跡取得部４０５に通知する。
【００６８】
その後、軌跡取得部４０５が、現在の舵角に応じた２ＷＳモード及び４ＷＳモードの移動予想軌跡を、２ＷＳ移動軌跡管理テーブル４０３及び４ＷＳ移動軌跡管理テーブル４０２から取得し、画像合成部４１２の移動予想軌跡重畳部４２１が、４ＷＳモードの移動予想軌跡と、２ＷＳモードの移動予想軌跡と、を俯瞰画像データ又は通常画像データに合成（重畳）する（ステップＳ７０９）。
【００６９】
そして、表示制御部４１３は、２ＷＳモード及び４ＷＳモードの移動予想軌跡が表された画像データを表示する（ステップＳ７１０）。
【００７０】
その後、操作受付部４０１が、予想軌跡ボタンの押下を受け付けたか否かを判定する（ステップＳ７１１）。押下を受け付けていない場合（ステップＳ７１１：Ｎｏ）、ステップＳ７１０による表示を継続して行う。一方、操作受付部４０１が予想軌跡ボタンの押下を受け付けた場合（ステップＳ７１１：Ｙｅｓ）、ステップＳ７０３からの処理を行う。
【００７１】
上述した処理手順により、運転者の予想軌跡ボタンの押下等に応じて、移動予想軌跡の表示を切り替えることができる。なお、図７は、処理手順の一例を示したもので、上述した表示の切り替え等が可能であれば、他の態様でも良い。
【００７２】
図８は、予想軌跡ボタンの押下に応じて切り替わる表示画面の遷移の例を示した図である。図８に示す例では、通常画像生成部４１１により生成された通常画像データに、移動予想軌跡を重畳している例とする。なお、予想軌跡ボタン８０１は、モニタ装置１１に備え付けられているものとする。
【００７３】
図８に示す例では、後方に移動しながら旋回する際に、表示制御部４１３が、表示装置８の表示画面に画像データ８１１、８１２、及び８１３を表示する。画像データ８１１、８１２、及び８１３は、撮像部１６ｃが車両１の後端部から後方向の外部の環境を撮像した画像データに対して、通常画像生成部４１１により調整された後、移動予想軌跡重畳部４２１により移動予想軌跡を重畳された後の画像データである。
【００７４】
まず、車両１が２ＷＳモードの場合、表示制御部４１３は、表示装置８に画像データ８１１を表示する。また、車両１が４ＷＳモードの場合、表示制御部４１３は、表示装置８に画像データ８１２を表示する。
【００７５】
２ＷＳモードの画像データ８１１には、２ＷＳモードの移動予想軌跡を表した線８２１が表されている。さらに、画像データ８１１には、後輪３Ｒの舵角８２２、さらには接触予想判定部４０７による判定結果を示した報知イメージ８２３も表されている。また、タイトル８２４には、移動予想軌跡が２ＷＳモードであることが表されている。これにより、運転者は、２ＷＳモードにより、現在の舵角で後進すると、他の車両に接触する可能性があることを認識できる。そして、２ＷＳモードの画像データ８１１が表示されているときに、操作受付部４０１が予想軌跡ボタン８０１の押下を受け付けると、駐車支援部４００は、４ＷＳモードの画像データ８１２を表示するための制御を行う。
【００７６】
４ＷＳモードの画像データ８１２には、４ＷＳモードの移動予想軌跡を表した線８３１が表されている。さらに、画像データ８１２には、後輪３Ｒの舵角８３２も表されている。また、タイトル８３３には、移動予想軌跡が４ＷＳモードであることが表されている。画像データ８１２は、画像データ８１１で表されていた報知イメージ８２３が表示されていないことから、運転者は４ＷＳモードにより、現在の舵角で後進すると他の車両に接触する可能性がないことを認識できる。そして、４ＷＳモードの画像データ８１２が表示されているときに、操作受付部４０１が予想軌跡ボタン８０１の押下を受け付けると、駐車支援部４００は、２ＷＳモード及び４ＷＳモードの画像データ８１３を表示するための制御を行う。
【００７７】
２ＷＳモード及び４ＷＳモードの画像データ８１３には、２ＷＳモードの移動予想軌跡を示した線８２１と４ＷＳモードの移動予想軌跡を表した線８３１の両方が表されている。さらに、画像データ８１２に示す例では、４ＷＳモードの後輪３Ｒの舵角８４１が表されているが、２ＷＳモードの後輪の舵角が表示されても良い。また、タイトル８４３には、移動予想軌跡が２ＷＳモード及び４ＷＳモードであることが表されている。
【００７８】
また、本実施形態では、２ＷＳモードの移動予想軌跡を示した線８２１と４ＷＳモードの移動予想軌跡を表した線８３１との両方を表示する際に、線８２１と線８３１との間の線の色、種別などの表示態様を異ならせる。これにより、視覚的に認識することが容易となる。
【００７９】
２ＷＳモード及び４ＷＳモードの画像データ８１３では、２ＷＳモードの移動予想軌跡を示した線８２１と４ＷＳモードの移動予想軌跡を表した線８３１との両方が表示されるため、運転者は操舵モードの違いに基づく移動軌跡の違いを認識することができる。さらには、２ＷＳモードの移動予想軌跡を示した線８２１の上方に報知イメージ８４２が表示されるため、２ＷＳモードの場合に接触する可能性があることを認識できる。
【００８０】
さらに、２ＷＳモード及び４ＷＳモードの場合、表示制御部４１３は、推奨する操舵モードを表示してもよい。画像データ８１３では、推奨する操舵モードが４ＷＳモードであることを示すメッセージ８４４が含まれている。当該メッセージ８４４は接触予想判定部４０７の判定結果に基づいて、報知イメージ生成部４０８が生成したメッセージとする。
【００８１】
このように本実施形態にかかる表示制御部４１３は、複数種類の操舵手法のうち、いずれか１つ以上の操舵手法の移動予想軌跡上に障害物が存在する場合、当該障害物に接触しない他の操舵手法を用いることを推奨するメッセージを表示する。当該メッセージにより、運転者は４ＷＳモードで操舵した方がより容易に駐車できることを認識できる。
【００８２】
そして、２ＷＳモード及び４ＷＳモードの画像データ８１３が表示されているときに、操作受付部４０１が予想軌跡ボタン８０１の押下を受け付けると、駐車支援部４００は、２ＷＳモードの画像データ８１１を表示するための制御を行う。画像データ８１１は上述しているため、説明を省略する。
【００８３】
このように、運転者からの予想軌跡ボタン８０１の押下で、移動予想軌跡が表示される操舵モードが切り替わることで、車両１に現在設定されている操舵モードを変更することなく、どの操舵モードが適切であるのか認識することができる。これにより、車両１の操舵モードを切り替えるというロスを生じさせることなく、各操舵モードによる移動予想軌跡の違いを認識できる。
【００８４】
これにより操作者は、２ＷＳモードと４ＷＳモードのうち、どちらが適切な操舵モードであるかを認識できる。図８では、通常画像データが切り替わる例について説明したが、他の態様であっても良い。そこで、俯瞰画像データの場合について説明する。
【００８５】
図９は、予想軌跡ボタンの押下に応じて切り替わる表示画面の遷移の例を示した図である。図９に示す例では、俯瞰画像生成部４１０により生成された俯瞰画像データに、移動予想軌跡を重畳している例とする。
【００８６】
まず、車両１が２ＷＳモードの場合、表示制御部４１３は、俯瞰画像を含む画像データ９１１を表示する。また、車両１が４ＷＳモードの場合、表示制御部４１３は、俯瞰画像を含む画像データ９１２を表示する。
【００８７】
２ＷＳモードの画像データ９１１には、俯瞰画像領域９２１と、バックカメラ画像と、が含まれている。バックカメラ画像については説明を省略する。俯瞰画像領域９２１には、２ＷＳモードの移動予想軌跡を表した線９２２が表されている。さらに、俯瞰画像領域９２１には、接触予想判定部４０７による判定結果を示した報知イメージ９２３も表されている。また、タイトル９２４には、移動予想軌跡が２ＷＳモードであることが表されている。これにより、運転者は、２ＷＳモードにより、現在の舵角で後進すると、障害物に接触する可能性があることを認識できる。そして、２ＷＳモードの画像データ９１１が表示されているときに、操作受付部４０１が予想軌跡ボタン８０１の押下を受け付けると、駐車支援部４００は、４ＷＳモードの画像データ９１２を表示するための制御を行う。
【００８８】
４ＷＳモードの画像データ９１２には、俯瞰画像領域９３１と、バックカメラ画像と、が含まれている。俯瞰画像領域９３１には、４ＷＳモードの移動予想軌跡を表した線９３２が表されている。また、タイトル９３３には、移動予想軌跡が４ＷＳモードであることが表されている。そして、４ＷＳモードの画像データ９１２が表示されているときに、操作受付部４０１が予想軌跡ボタン８０１の押下を受け付けると、駐車支援部４００は、２ＷＳモード及び４ＷＳモードの画像データ９１３を表示するための制御を行う。
【００８９】
２ＷＳモード及び４ＷＳモードの画像データ９１３には、俯瞰画像領域９４１と、バックカメラ画像と、が含まれている。俯瞰画像領域９４１には、２ＷＳモードの移動予想軌跡を示した線９２２と４ＷＳモードの移動予想軌跡を表した線９３２の両方が表されている。これにより、運転者は操舵モードの違いに基づく移動軌跡の違いを認識することができる。さらに、俯瞰画像領域９４１には、接触予想判定部４０７による判定結果を示した報知イメージ９４４も表されている。また、タイトル９４３には、移動予想軌跡が２ＷＳモード及び４ＷＳモードであることが表されている。
【００９０】
２ＷＳモード及び４ＷＳモードの場合、表示制御部４１３は、推奨する操舵モードを表示してもよい。画像データ９１３では、推奨する操舵モードが４ＷＳモードであることを示すメッセージ９４４が含まれている。当該メッセージ９４４は接触予想判定部４０７の判定結果に基づいて、報知イメージ生成部４０８が生成したメッセージとする。当該メッセージ９４４により、運転者は４ＷＳモードで操舵した方がより容易に駐車できることを認識できる。
【００９１】
そして、２ＷＳモード及び４ＷＳモードの画像データ９１３が表示されているときに、操作受付部４０１が予想軌跡ボタン８０１の押下を受け付けると、駐車支援部４００は、２ＷＳモードの画像データ９１１を表示するための制御を行う。画像データ９１１は上述しているため、説明を省略する。このように、運転者からの操作に応じて、移動予想軌跡の表示が切り替わることで、２ＷＳと４ＷＳのどちらが適切な操舵モードであるかを認識できる。
【００９２】
本実施形態では、車両１に駐車支援部４００が搭載される例について説明した。この駐車支援部４００は、車両１に予め搭載されていても良いし、車両１に別途取り付けたものでもよい。ただし、車両１の移動予想軌跡を適切に認識するためには、車種毎にそれぞれ異なる対応をする必要がある。そこで、車両１に別途購入した駐車支援部４００を含んだ駐車支援ＥＣＵ１４を取り付ける場合には、運転者が駐車支援ＥＣＵ１４に対して、取り付け先の車両１の車種を設定する必要がある。さらに、より正確な支援を行うために、タイヤ径を設定可能としても良い。
【００９３】
また、本実施形態で示した移動予想軌跡は、車両１の後端部の移動予想軌跡であっても良いし、車両１の最内点及び最外点による移動予想軌跡であってもよい。さらには、後端部、車両１の最内点又は最外点についてマージンを含めた移動予想軌跡であってもよい。
【００９４】
本実施形態では、操舵手法として、４ＷＳや２ＷＳを用いた例について説明したが、他の操舵手法であっても良く、例えば四輪独立操舵などを用いても良い。
【００９５】
このように、第１の実施形態の駐車支援部４００によれば、運転者に対して移動予想軌跡を提示することで、車両１の操舵の負担を軽減することができる。
【００９６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００９７】
１…車両、１００…駐車支援システム、４００…駐車支援部、４０１…操作受付部、４０２…４ＷＳ移動軌跡管理テーブル、４０３…２ＷＳ移動軌跡管理テーブル、４０４…操舵角取得部、４０５…軌跡取得部、４０６…障害物検出部、４０７…接触予想判定部、４０８…報知イメージ生成部、４０９…軌跡表示切替部、４１０…俯瞰画像生成部、４１１…通常画像生成部、４１２…画像合成部、４１３…表示制御部、４２１…移動予想軌跡重畳部、４２２…タイヤ操舵角合成部
【図１】
2014004930.tif 000003
【図２】
2014004930.tif 000004
【図３】
2014004930.tif 000005
【図４】
2014004930.tif 000006
【図５】
2014004930.tif 000007
【図６】
2014004930.tif 000008
【図７】
2014004930.tif 000009
【図８】
2014004930.tif 000010
【図９】
2014004930.tif 000011